(57)【特許請求の範囲】
【請求項１】
無線通信システムにおいて端末によって隣接基地局のスキャニング情報を伝送するための方法であって、
前記サービング基地局から前記隣接基地局の複数の第１の識別子と第１の設定変数とを含む隣接基地局情報放送メッセージを受信する過程と、
前記隣接基地局情報放送メッセージにリストされる少なくとも１つのスキャンされた隣接基地局のスキャニング情報と前記スキャンされた隣接基地局の各々の第２の識別子とを含むスキャン報告メッセージを前記サービング基地局に伝送する過程と、を具備し、
前記第２の識別子は、前記隣接基地局情報放送メッセージにおける前記複数の第１の識別子の１つの位置に対応するインデックスを示し、前記複数の第１の識別子よりも短く、
前記スキャン報告メッセージは、前記隣接基地局情報放送メッセージにおいて前記第１の設定変数として参照される第２の設定変数を含み、前記第２の設定変数は、前記第１の設定変数と同一であることを特徴とする方法。
【請求項２】
前記複数の第１の識別子は、前記隣接基地局のＭＡＣアドレスを示すことを特徴とする請求項１記載の方法。
【請求項３】
前記隣接基地局の各々に対応する基地局識別子が前記隣接基地局情報放送メッセージにおける前記複数の第１の識別子のうちから前記対応する基地局識別子の位置にマッチングされるマッピングテーブルを保存する過程をさらに具備することを特徴とする請求項１記載の方法。
【請求項４】
前記第１の設定変数は、前記隣接基地局の情報が前記隣接基地局情報放送メッセージで変更されたかを示すことを特徴とする請求項１記載の方法。
【請求項５】
前記隣接基地局情報放送メッセージにリストされる少なくとも１つの隣接基地局をスキャンする過程と、
前記スキャンされた隣接基地局の前記スキャニング情報を生成する過程と、
前記隣接基地局情報放送メッセージにおける前記スキャンされた隣接基地局の各々に対して前記第１の識別子の位置に従って前記第２の識別子を決定する過程と
をさらに具備することを特徴とする請求項１記載の方法。
【請求項６】
無線通信システムにおいてサービング基地局によって隣接基地局のスキャニング情報を受信するための方法であって、
端末に隣接基地局の複数の第１の識別子と第１の設定変数とを含む隣接基地局情報放送メッセージを伝送する過程と、
前記隣接基地局情報放送メッセージにリストされる少なくとも１つのスキャンされた隣接基地局のスキャニング情報と前記スキャンされた隣接基地局の各々の第２の識別子とを含むスキャン報告メッセージを端末から受信する過程と、を具備し、
前記第２の識別子は、前記隣接基地局情報放送メッセージにおける前記複数の第１の識別子の１つの位置に対応するインデックスを示し、前記複数の第１の識別子よりも短く、
前記スキャン報告メッセージは、前記隣接基地局情報放送メッセージにおいて前記第１の設定変数として参照される第２の設定変数を含み、前記第２の設定変数は、前記第１の設定変数と同一であることを特徴とする方法。
【請求項７】
前記複数の第１の識別子は、前記隣接基地局のＭＡＣアドレスを示すことを特徴とする請求項６記載の方法。
【請求項８】
前記隣接基地局の各々に対応する基地局識別子が前記隣接基地局情報放送メッセージにおける前記複数の第１の識別子のうちから前記対応する基地局識別子の位置にマッチングされるマッピングテーブルを保存する過程をさらに具備することを特徴とする請求項６記載の方法。
【請求項９】
前記第１の設定変数は、前記隣接基地局の情報が前記隣接基地局情報放送メッセージで変更されたかを示すことを特徴とする請求項６記載の方法。
【請求項１０】
前記第１及び第２の設定変数は、前記隣接基地局情報放送メッセージのフレーム番号及び前記スキャン報告メッセージのフレーム番号を各々示すことを特徴とする請求項６記載の方法。
【請求項１１】
無線通信システムであって、
サービング基地局と、
前記サービング基地局から隣接基地局の複数の第１の識別子と第１の設定変数とを含む隣接基地局情報放送メッセージを受信し、前記隣接基地局情報放送メッセージにリストされる少なくとも１つのスキャンされた隣接基地局のスキャニング情報と前記スキャンされた隣接基地局の各々の第２の識別子とを含むスキャン報告メッセージをサービング基地局に伝送するための端末と、を具備し、
前記第２の識別子は、前記隣接基地局情報放送メッセージにおける前記複数の第１の識別子の１つの位置に対応するインデックスを示し、前記複数の第１の識別子よりも短く、
前記スキャン報告メッセージは、前記隣接基地局情報放送メッセージにおいて前記第１の設定変数として参照される第２の設定変数を含み、前記第２の設定変数は、前記第１の設定変数と同一であることを特徴とするシステム。
【請求項１２】
前記端末は、前記隣接基地局情報放送メッセージにリストされる少なくとも１つの隣接基地局をスキャンし、前記スキャンされた隣接基地局の前記スキャニング情報を生成し、前記隣接基地局情報放送メッセージにおける前記スキャンされた隣接基地局の各々に対して前記第１の識別子の位置に従って前記第２の識別子を決定することを特徴とする請求項１１記載のシステム。
【請求項１３】
前記複数の第１の識別子は、前記隣接基地局のＭＡＣアドレスを示すことを特徴とする請求項１１記載のシステム。
【請求項１４】
前記端末は、前記隣接基地局の各々に対応する基地局識別子が前記隣接基地局情報放送メッセージにおける前記複数の第１の識別子のうちから前記対応する基地局識別子の位置にマッチングされるマッピングテーブルを保存することを特徴とする請求項１１記載のシステム。
【請求項１５】
前記第１の設定変数は、前記隣接基地局の情報が前記隣接基地局情報放送メッセージで変更されたかを示すことを特徴とする請求項１１記載のシステム。
【請求項１６】
無線通信システムであって、
端末と、
前記端末に隣接基地局の複数の第１の識別子と第１の設定変数とを含む隣接基地局情報放送メッセージを伝送し、前記隣接基地局情報放送メッセージにリストされる少なくとも１つのスキャンされた隣接基地局のスキャニング情報と前記スキャンされた隣接基地局の各々の第２の識別子とを含むスキャン報告メッセージを前記端末から受信するための基地局と、を具備し、
前記第２の識別子は、前記隣接基地局情報放送メッセージにおける前記複数の第１の識別子の１つの位置に対応するインデックスを示し、前記複数の第１の識別子よりも短く、
前記スキャン報告メッセージは、前記隣接基地局情報放送メッセージにおいて前記第１の設定変数として参照される第２の設定変数を含み、前記第２の設定変数は、前記第１の設定変数と同一であることを特徴とするシステム。
【請求項１７】
前記複数の第１の識別子は、前記隣接基地局のＭＡＣアドレスを示すことを特徴とする請求項１６記載のシステム。
【請求項１８】
前記サービング基地局は、前記隣接基地局の各々に対応する基地局識別子が前記隣接基地局情報放送メッセージにおける前記複数の第１の識別子のうちから前記対応する基地局識別子の位置にマッチングされるマッピングテーブルを保存することを特徴とする請求項１６記載のシステム。
【請求項１９】
前記第１の設定変数は、前記隣接基地局情報放送メッセージで前記隣接基地局の情報が変更されたかを示すことを特徴とする請求項１６記載のシステム。
【請求項２０】
前記第１及び第２の設定変数は、前記隣接基地局情報放送メッセージのフレーム番号及び前記スキャン報告メッセージのフレーム番号を各々示すことを特徴とする請求項１６記載のシステム。
【発明の詳細な説明】
【技術分野】
【０００１】
本発明は、無線通信システムにおける資源管理に関し、特に、無線通信システムにおける資源効率性の向上のためのアップリンク制御メッセージのオーバーヘッドを減少させる方法に関する。
【背景技術】
【０００２】
一般的に、セルラー基盤無線通信システムにおいて、端末（mobile subscriber station；ＭＳＳ）に対する初期網接続及びハンドオーバーを容易に遂行するために隣接基地局（Base Station;ＢＳ）の情報を収集する。このような目的のために、サービング基地局（serving BS）は、無線網を介して隣接ＢＳのチャンネル情報を収集するためのチャンネル要求メッセージを周期的に伝送する。これを受信したＭＳＳは、隣接ＢＳからのチャンネルをスキャニングした後に、隣接ＢＳに関するチャンネル情報メッセージをサービングＢＳへ伝送する。
【０００３】
このように、隣接ＢＳに関する情報をやり取りするために、サービングＢＳ及びＭＳＳは、隣接ＢＳの固有のグローバル識別子（ＩＤ）（global identifier）を用いて隣接ＢＳを区別する。従って、上記チャンネル要求メッセージ及びチャンネル情報メッセージのような制御メッセージは、隣接ＢＳを識別するグローバルＩＤを含む。
【０００４】
例えば、ＩＥＥＥ８０２．１６ａシステムにおいて、サービングＢＳは、ＭＳＳが最適のセルを選択するように助けるために、隣接広告（neighbor advertisement）メッセージによって隣接ＢＳに関する情報をブロードキャストする。上記隣接広告メッセージは、上記隣接ＢＳを区別するグローバルＩＤを含む。ＭＳＳは、上記隣接広告メッセージに基づいて隣接ＢＳのチャンネルをスキャニングし、チャンネルスキャニング結果を上りリンク報告メッセージを使用してサービングＢＳへ伝送する。また、ＭＳＳは、ハンドオーバーしようとする新たなＢＳをサービングＢＳへ通知する場合にも、グローバルＩＤを使用する。
【０００５】
しかしながら、グローバルＩＤの長さが比較的長いので、上りリンク報告メッセージへの複数のグローバルＩＤの送信は、相当なオーバーヘッドを引き起こす。
【０００６】
さらに、一般的に、ハンドオーバーが隣接ＢＳセット（neighbor BS set）内で行われ、隣接ＢＳセットが隣接広告メッセージを通じて周期的にブロードキャストされるので、サービングＢＳ及びＭＳＳが隣接ＢＳをすでに知っている場合が大部分である。従って、このようなグローバルＩＤの伝送によるオーバーヘッドを減少させる必要がある。
【発明の開示】
【発明が解決しようとする課題】
【０００７】
上記背景に鑑みて、本発明の目的は、上りリンク報告メッセージで隣接ＢＳを区別するためのグローバルＩＤを圧縮することによって、上りリンクチャンネルのオーバーヘッドを減少させる制御情報圧縮方法を提供することにある。
【０００８】
本発明の他の目的は、上りリンクチャンネルのオーバーヘッドを減少させることによって、資源効率性を向上させる制御情報圧縮方法を提供することにある。
【課題を解決するための手段】
【０００９】
上記のような目的を達成するために、本発明の第１の見地によると、サービングＢＳの要求によって、ＭＳＳが隣接ＢＳの情報をスキャニングして上記サービングＢＳへ伝送する無線通信システムにおける上りリンク制御情報を圧縮する方法は、ＭＳＳが隣接ＢＳのＢＳ ＩＤを圧縮するステップと、上記圧縮されたＢＳ ＩＤとともに、該当ＢＳの情報を上記サービングＢＳへ伝送するステップとを具備することを特徴とする。
【００１０】
上記圧縮ステップにおいて、上記サービングＢＳは、上記サービングＢＳによって上記ＢＳ ＩＤに対応するＢＳインデックス及び情報の獲得を希望する、上記サービングＢＳに関する少なくとも一つの隣接ＢＳのＢＳ ＩＤを含む隣接広告メッセージをブロードキャストして、スキャニング結果とともに上記少なくとも一つの隣接ＢＳの上記ＢＳインデックスを上記サービングＢＳへ伝送する。
【００１１】
上記サービングＢＳは、上記隣接ＢＳのＢＳ ＩＤを上記隣接ＢＳのＢＳインデックスにマッチングさせるマッピングテーブルを保存している。上記隣接広告メッセージは、上記隣接広告メッセージが伝送される時点を示す設定変数を含む。上記設定変数は、上記隣接広告メッセージのフレーム番号を示す。上記隣接広告メッセージに対する広告メッセージは、上記隣接広告メッセージの設定変数を含む。
【００１２】
望ましくは、上記ＢＳインデックスは、上記少なくとも一つの隣接ＢＳのＢＳグローバルＩＤの位置を示すループインデックスであり、上記ＢＳインデックスは、上記少なくとも一つの隣接ＢＳのループインデックスを上記設定変数と組み合わせて生成される。
【００１３】
上記ＢＳインデックスは、上記少なくとも一つの隣接ＢＳのＢＳ ＩＤの位置を示すループインデックスを上記隣接広告メッセージのフレーム番号と組み合わせて生成される。
【発明の効果】
【００１４】
本発明の上りリンク制御情報圧縮方法は、ＢＳとＭＳＳとが共有する隣接ＢＳに関する情報を交換する場合に長いＢＳアドレスを圧縮することによって無線資源を節約できる。また、上りリンク制御情報圧縮方法は、上りリンク制御情報圧縮を通じて資源効率性を増加させ、これによって、システム容量を増加させることができる。
【発明を実施するための最良の形態】
【００１５】
以下、本発明の好適な実施形態について添付図面を参照して詳細に説明する。下記説明において、本発明の要旨のみを明瞭にするために、公知の機能又は構成についての詳細な説明は省略する。なお、図面中、同一の構成要素及び部分には、可能な限り同一の符号及び番号を共通使用するものとする。
【００１６】
ＩＥＥＥ８０２．１６標準によると、端末（ＭＳＳ）は、ＭＯＢ-ＳＣＡＮ-ＲＥＰＯＲＴメッセージを通じてスキャニング結果を基地局（ＢＳ）へ伝送する場合に、隣接ＢＳを区別するために４８ビットのＭＡＣ（Medium Access Control）アドレスを使用する。しかしながら、本発明は、ＭＯＢ-ＳＣＡＮ-ＲＥＰＯＲＴメッセージのすべての隣接ＢＳがＭＯＢ-ＮＢＲ-ＡＤＶメッセージ内の隣接ＢＳリストのメンバーである場合に、４８ビットのＭＡＣアドレスの代わりに、８ビットの隣接ＢＳインデックスを使用する。この場合に、８ビットの隣接ＢＳインデックスは、隣接ＢＳリストでの該当隣接ＢＳの位置を意味する。
【００１７】
図１は、本発明の望ましい実施形態による制御情報圧縮方法で隣接広告メッセージの基本構成を示す概念図である。上記隣接広告（neighbor advertisement）メッセージは、隣接ＢＳの数を表示するＮ_Ｎｅｉｇｈｂｏｒフィールド１１と、隣接ＢＳの固有のＭＡＣアドレスを示すグローバルＩＤ１３−１乃至１３−ｎと、上記ＭＡＣアドレスにマッピングされる隣接ＢＳインデックスを示すＮＢＲ ＢＳインデックスとを含む。本発明の制御情報圧縮方法を支援するために、サービングＢＳは、隣接ＢＳのＭＡＣアドレスを隣接ＢＳインデックスにマッピングさせるマッピングテーブルを保存している。
【００１８】
図２は、本発明の好ましい実施形態による制御情報圧縮方法が適用される上りリンク制御メッセージの構成を示す概念図である。図２を参照すると、上記上りリンク制御メッセージは、ＭＯＢ-ＮＢＲ-ＡＤＶメッセージをブロードキャストするフレームの番号を示す参照ＮＢＲ_ＡＤＶ識別子フィールド２１と、ＭＯＢ-ＮＢＲ-ＡＤＶメッセージの隣接ＢＳのＩＤとしてのＮＢＲ_ＢＳ_ｉｎｄｅｘ２３−１乃至２３−ｎと、ＢＳインデックスの数を示すＮ_ＢＳ_ｉｎｄｅｘ２２とを含む。ＭＯＢ-ＮＢＲ-ＡＤＶメッセージがサービングＢＳによって周期的にブロードキャストされるので、ＭＳＳは、ＭＯＢ-ＮＢＲ-ＡＤＶメッセージに関する参照ＮＢＲ_ＡＤＶフィールド２１に対するＩＤを上りリンク制御メッセージに明確に設定しなければならない。
【００１９】
図３は、本発明の望ましい実施形態による制御情報圧縮方法を説明するＭＯＢ-ＮＢＲ-ＡＤＶメッセージの構成を示す。
【００２０】
図３を参照すると、サービングＢＳによってブロードキャストされるＭＯＢ-ＮＢＲ-ＡＤＶメッセージは、２４ビットで表示されるオペレータＩＤ（Operator ID）フィールド３１と、現在伝送されるＭＯＢ-ＮＢＲ-ＡＤＶメッセージのインスタンス（instance）を示す設定変数（Configuration Change Count）フィールド３２と、ＭＯＢ-ＮＢＲ-ＡＤＶに含まれる隣接ＢＳの数を示すＮ_ｎｅｉｇｈｂｏｒｓフィールド３３と、隣接ＢＳの実際のＩＤを列挙するＢＳリストフィールド３５とを含む。
【００２１】
図３において、オペレータＩＤは、０ｘ００ｅｃｄｆ、設定変数は、３３、そして、Ｎ_Ｎｅｉｇｈｂｏｒは、１０である。
【００２２】
上記ＢＳリストにおいて、第１乃至第１０の隣接ＢＳ３５−１乃至３５−１０のＩＤは、ＮＢＲ_ＢＳ_ＩＤ＝０ｘ０００１２３、ＮＢＲ_ＢＳ_ＩＤ＝０ｘ０３２４２４、ＮＢＲ_ＢＳ_ＩＤ＝０ｘ０２３４２３、ＮＢＲ_ＢＳ_ＩＤ＝０ｘ５４３５４３、ＮＢＲ_ＢＳ_ＩＤ＝０ｘ２５６４３４、ＮＢＲ_ＢＳ_ＩＤ＝０ｘ８４４３２５、ＮＢＲ_ＢＳ_ＩＤ＝０ｘ４３ｄ２５４、ＮＢＲ_ＢＳ_ＩＤ＝０ｘ５６２６６ｆ、ＮＢＲ_ＢＳ_ＩＤ＝０ｘ８ｄａ０９ｄ、及びＮＢＲ_ＢＳ_ＩＤ＝０ｘ０４２０ａｃの順に設定される。
【００２３】
これらＢＳ ＩＤ ３５−１乃至３５−１０は、各々２４ビットを有する。上記２４ビットのＩＤ及び２４ビットのオペレータＩＤフィールド３１は、４８ビットのグローバルＩＤ、すなわち、ＭＡＣ ＩＤを構成する。
【００２４】
サービングＢＳは、ＭＯＢ-ＮＢＲ-ＡＤＶメッセージを伝送する際に、上記ＢＳのＩＤとともに、隣接ＢＳインデックス、すなわち、ＭＯＢ-ＮＢＲ-ＡＤＶメッセージでのループインデックス（loop index）“ｊ”を伝送して、ＢＳリストのＢＳ ＩＤに対応する隣接ＢＳインデックスをマッピングさせるマッピングテーブルを貯蔵する。したがって、
ｊ＝０：ＮＢＲ_ＢＳ_ＩＤ＝０ｘ０００１２３（３５−１）
ｊ＝１：ＮＢＲ_ＢＳ_ＩＤ＝０ｘ０３２４２４（３５−２）
ｊ＝２：ＮＢＲ_ＢＳ_ＩＤ＝０ｘ０２３４２３（３５−３）
ｊ＝３：ＮＢＲ_ＢＳ_ＩＤ＝０ｘ５４３５４３（３５−４）
ｊ＝４：ＮＢＲ_ＢＳ_ＩＤ＝０ｘ２５６４３４（３５−５）
ｊ＝５：ＮＢＲ_ＢＳ_ＩＤ＝０ｘ８４４３２５（３５−６）
ｊ＝６：ＮＢＲ_ＢＳ_ＩＤ＝０ｘ４３ｄ２５４（３５−７）
ｊ＝７：ＮＢＲ_ＢＳ_ＩＤ＝０ｘ５６２６６ｆ（３５−８）
ｊ＝８：ＮＢＲ_ＢＳ_ＩＤ＝０ｘ８ｄａ０９ｄ（３５−９）
ｊ＝９：ＮＢＲ_ＢＳ_ＩＤ＝０ｘ０４２０ａｃ（３５−１０）
【００２５】
サービングＢＳからＭＯＢ-ＮＢＲ-ＡＤＶメッセージを受信すると、ＭＳＳは、同一のマッピングテーブルを貯蔵し、隣接ＢＳのチャンネルをスキャニングし、スキャニング結果をサービングＢＳへ報告する。
【００２６】
図４は、ＭＳＳが図３に示したＭＯＢ-ＮＢＲ-ＡＤＶメッセージに対する応答としてサービングＢＳへ伝送するＭＯＢ-ＳＣＡＮ-ＲＥＰＯＲＴメッセージを示す。ＭＯＢ-ＮＢＲ-ＡＤＶメッセージは、周期的にブロードキャストされ、ＭＯＢ-ＮＢＲ-ＡＤＶメッセージのＢＳリストに列挙された隣接ＢＳは、ネットワークトポロジーの変化又は通信環境の変化によって変更されることがある。従って、隣接ＢＳのＭＡＣアドレスの代わりに、隣接ＢＳインデックスを使用するためには、設定変数（Configuration Change Count）がＭＯＢ-ＳＣＡＮ-ＲＥＰＯＲＴメッセージに含まれなければならない。
【００２７】
図４を参照すると、ＭＯＢ-ＳＣＡＮ-ＲＥＰＯＲＴメッセージは、ＭＳＳが参照したＭＯＢ-ＮＢＲ-ＡＤＶメッセージを示す設定変数フィールド４１と、ＭＯＢ-ＮＢＲ-ＡＤＶメッセージに設定されている隣接ＢＳの数を示すＮ_ＮＥＩＧＨＢＯＲＳフィールド４２と、スキャニングされた隣接ＢＳのグローバルＩＤに対応する隣接ＢＳインデックスを列挙するＢＳインデックスリストフィールド４５とを含む。
【００２８】
図４における設定変数は、ＭＯＢ-ＮＢＲ-ＡＤＶの設定変数と同一の３３であり、スキャニングを通じて確認された隣接ＢＳの数Ｎ_ＮＥＩＧＨＢＯＲＳは、４である場合の例を示している。
【００２９】
ＢＳインデックスリストフィールド４５は、ＭＯＢ-ＮＢＲ-ＡＤＶメッセージに設定されたループインデックス“ｊ”に該当するスキャニングされた隣接ＢＳ４５−１乃至４５−４のインデックスを有する。
【００３０】
これら隣接ＢＳインデックスは、ＮＢＲ_ＢＳ_ＩＮＤＥＸ＝５、ＮＢＲ_ＢＳ_ＩＮＤＥＸ＝３、ＮＢＲ_ＢＳ_ＩＮＤＥＸ＝８、及びＮＢＲ_ＢＳ_ＩＮＤＥＸ＝０の順にて設定される。
【００３１】
ＭＳＳからＭＯＢ-ＳＣＡＮ-ＲＥＰＯＲＴメッセージを受信すると、サービングＢＳは、設定変数３３に基づいて該当マッピングテーブルを選択して、ＭＯＢ-ＳＣＡＮ-ＲＥＰＯＲＴメッセージに設定されているＢＳインデックスに基づいて隣接ＢＳを確認する。
【００３２】
ＭＯＢ-ＳＣＡＮ-ＲＥＰＯＲＴメッセージに設定されているＮＢＲ_ＢＳ_ＩＮＤＥＸ＝５、ＮＢＲ_ＢＳ_ＩＮＤＥＸ＝３、ＮＢＲ_ＢＳ_ＩＮＤＥＸ＝８、及びＮＢＲ_ＢＳ_ＩＮＤＥＸ＝０は、次のような実際のＢＳグローバルＩＤにマッピングされる。
ＮＢＲ_ＢＳ_ＩＮＤＥＸ＝５：ＮＢＲ_ＢＳ_ＩＤ＝０ｘ００ｅｃｄｆ８４４３２５
ＮＢＲ_ＢＳ_ＩＮＤＥＸ＝３：ＮＢＲ_ＢＳ_ＩＤ＝０ｘ００ｅｃｄｆ５４３５４３
ＮＢＲ_ＢＳ_ＩＮＤＥＸ＝８：ＮＢＲ_ＢＳ_ＩＤ＝０ｘ００ｅｃｄｆ８ｄａ０９ｄ
ＮＢＲ_ＢＳ_ＩＮＤＥＸ＝０：ＮＢＲ_ＢＳ_ＩＤ＝０ｘ００ｅｃｄｆ０００１２３
【００３３】
このような方法にて、上りリンク制御メッセージに含まれるＮＢＲ_ＢＳ_ＩＤをＮＢＲ_ＢＳ_ＩＮＤＥＸに置き換える場合に減少されるビット数（ＳＢ）は、次のような式（１）を利用して計算される。
【００３４】
【数１】
0004542149.tif 000002
【００３５】
ここで、Ｎ_ＢＳ_ＩＮＤＥＸは、ＭＯＢ-ＳＣＡＮ-ＲＥＰＯＲＴメッセージのＮ_ＮＥＩＧＨＢＯＲと同一である。
【００３６】
従って、図３及び図４に示された例において、ＮＢＲ_ＢＳ_ＩＮＤＥＸを利用することによって節約されるビット資源の数は｛（４８−８）ｘ１０−８｝＝３９２ビットとなる。
【００３７】
表１は、本発明の望ましい実施形態による上りリンク制御メッセージ圧縮方法を使用する場合のＮ_ＢＳ_ＩＮＤＥＸに対して減少されるビットの数を示すグラフである。
【００３８】
【表１】
0004542149.tif 000003
【００３９】
本発明の望ましい実施形態では、ＮＢＲ_ＢＳ_ＩＮＤＥＸを使用する上りリンク制御メッセージ圧縮方法をＭＯＢ-ＳＣＡＮ-ＲＥＰＯＲＴメッセージに適用しているが、これに限定されることなく、ＭＳＳがハンドオーバーを初期化するために使用されるＭＯＢ_ＭＳＳＨＯ_ＲＥＱなどの多様な制御情報伝送メッセージに適用されることが可能である。
【００４０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００４１】
【図１】本発明の望ましい実施形態による制御情報圧縮方法で隣接広告メッセージの基本構成を示す概念図である。
【図２】本発明の望ましい実施形態による制御情報圧縮方法が適用される上りリンク制御メッセージの構成を示す概念図である。
【図３】本発明の望ましい実施形態による制御情報圧縮方法を説明するＭＯＢ-ＮＢＲ-ＡＤＶメッセージを示す図である。
【図４】ＭＳＳが図３に示したＭＯＢ-ＮＢＲ-ＡＤＶメッセージに対する応答としてＢＳへ伝送するＭＯＢ-ＳＣＡＮ-ＲＥＰＯＲＴメッセージを示す図である。
【符号の説明】
【００４２】
４１  設定変数フィールド
４２  Ｎ_ＮＥＩＧＨＢＯＲＳフィールド
４５  ＢＳインデックスリストフィールド
【図１】
0004542149.tif 000004
【図２】
0004542149.tif 000005
【図３】
0004542149.tif 000006
【図４】
0004542149.tif 000007